(57)【要約】      （修正有）【課題】機械による容易な組立及び製造が可能な装飾用ライトストリングを提供する。【解決手段】装飾用ライトストリングは、電力線に接続された複数の光ユニットを備える。各光ユニットは、ベース、ホルダ、照明素子およびストッパを有する。ベースは、ベース内に電力線が伸長することを許すチャンネルを有する。ホルダは、ベースに形成されている。照明素子は、ホルダに取り付けられており、電力線に電気的に接触すべくホルダおよびベース内を伸長する２本の導電性のピンを有する。ストッパは、電力線がベースから外れることを防止するために、ベースに取り付けられる。【選択図】図１
0003135427.tif 000002
【実用新案登録請求の範囲】
【請求項１】
絶縁被覆によって覆われた２つの心線を含む電力線に接続された複数の光ユニットを含む装飾用ライトストリングであって、
前記各光ユニットは、前記電力線を通すチャンネルが貫通するベースと、定位面を有し前記ベースに形成されるホルダと、照明素子とを備え、
該照明素子は、前記定位面に対応し前記照明素子の前記ホルダへの正確な取り付けを可能とする案内面と、前記電力線の前記２つの心線のそれぞれに電気的に接触すべく前記ホルダ内を伸長する２本の導電性のピンとを有する、
装飾用ライトストリング。
【請求項２】
前記各光ユニットは、さらに、前記ベースに取り付けられ、該ベースから前記電力線が外れることを防止するストッパを備える、請求項１に記載の装飾用ライトストリング。
【請求項３】
前記チャンネルは内方頂面および内底を有し、前記ベースは、さらに、前記内方頂面に形成され前記電力線に当接する上方リブと、前記チャンネルの前記内底を貫通して形成され、前記チャンネルに連通するスロットと、該スロットの両側のそれぞれに成形され、前記上方リブに向けて突出する２本のレールとを有する、請求項１に記載の装飾用ライトストリング。
【請求項４】
前記チャンネルは内方頂面および内底を有し、前記ベースは、さらに前記内方頂面に形成され、前記電力線に当接する上方リブと、前記チャンネルの前記内底を貫通して形成され、前記チャンネルに連通するスロットと、該スロットの両側のそれぞれに形成され、前記上方リブに向けて突出する２本のレールとを有する、請求項２に記載の装飾用ライトストリング。
【請求項５】
前記ストッパは、さらに、頂面と、２つの対向縁を有する底面と、前記頂面から突出し前記電力線に当接する下方リブと、それぞれが下方へ伸長しかつ前記底面の前記２つの対向縁に沿って延びる２つのフランジと、前記底面に形成される突起であって該突起が前記スロット内に取り付けられるときに前記ベースの前記２つのレールのそれぞれに係合する２つの溝を形成すべく前記２つのフランジ間に形成される突起と、前記ストッパを貫通して形成される２つの開口であってその内方に前記照明素子の前記導電性ピンのそれぞれが伸長する２つの開口とを有する、請求項３に記載の装飾用ライトストリング。
【請求項６】
前記ストッパは、さらに、頂面と、２つの対向縁を有する底面と、前記頂面から突出し前記電力線に当接する下方リブと、それぞれが下方へ伸長しかつ前記底面の前記２つの対向縁に沿って延びる２つのフランジと、前記底面に形成される突起であって該突起が前記スロット内に取り付けられるときに前記ベースの前記２つのレールのそれぞれに係合する２つの溝を形成すべく前記２つのフランジ間に形成される突起と、前記ストッパを貫通して形成される２つの開口であってその内方に前記照明素子の前記導電性ピンのそれぞれが伸長する２つの開口とを有する、請求項４に記載の装飾用ライトストリング。
【請求項７】
前記ベースは三次元形状を有するように形成されている、請求項５に記載の装飾用ライトストリング。
【請求項８】
前記ベースは三次元形状を有するように形成されている、請求項６に記載の装飾用ライトストリング。
【請求項９】
前記三次元形状は、立方体、円柱体または六角柱である、請求項７に記載の装飾用ライトストリング。
【請求項１０】
前記三次元形状は、立方体、円柱体または六角柱である、請求項８に記載の装飾用ライトストリング。
【請求項１１】
前記光ユニットは常時点灯されている、請求項７に記載の装飾用ライトストリング。
【請求項１２】
前記光ユニットは常時点灯されている、請求項８に記載の装飾用ライトストリング。
【請求項１３】
前記光ユニットはフラッシングまたはチェイシングの視覚効果を生じるように制御を受ける、請求項７に記載の装飾用ライトストリング。
【請求項１４】
前記光ユニットはフラッシングまたはチェイシングの視覚効果を生じるように制御を受ける、請求項８に記載の装飾用ライトストリング。
【考案の詳細な説明】
【技術分野】
【０００１】
本考案は、装飾用ライトストリングに関し、より具体的には、人手による作業を低減させるべく、機械によって容易に製造および組立が可能な装飾用ライトストリングに関する。
【背景技術】
【０００２】
図７に関して、ライトストリングに用いられる従来の装飾用ライトは、ソケット（５０）、ライトホルダ（５２）および電球（５４）から成る。前記装飾用ライトは、２本の電線（５６）に電気的に接続される。ソケット（５０）は円柱体であり、該円柱体内にこれと同軸に形成された穴（５０１）を有する。２本の電線（５６）は、穴（５０１）内に伸長しかつ該穴に取り付けられる導体（５６１）を有する。ライトホルダ（５２）は、電球（５４）を保持するためにソケット（５０）に取り付けられている。電球（５４）は、２つの導体（５６１）のそれぞれに電気的に接触するように曲げられた２本の導電性のピン（５４１）を有する。前記従来の装飾用ライトの欠点は、電線（５６）を人手によってソケット（５０）内に挿入しなければならず、機械によって自動的に組み立てることが不可能であったことにある。それ故、前記ライトストリングを製造するためのコストおよび時間は増大する。
【０００３】
図８に関し、ライトストリングに適した他の従来の装飾用ライトは、ソケット（６０）と、ライトホルダ（６２）と、導電性の２本のピン（６４１）を有する電球（６４）と、底ベース（６６）とから構成されている。前記装飾用ライトは、電力線（６８）に接続される。各電力線（６８）は導体（６８１）で形成された近接端を有する。ソケット（６０）は、貫通穴（６０１）を有する円柱体と、該円柱体から一体的に延びるフランジ（６０２）とを備える。ライトホルダ（６２）は、電球（６４）を保持するためにソケット（６０）の貫通穴（６０１）に取り付けられている。導体（６８１）が電球（６４）の２本の導電性ピン（６４１）に電気的に接触するように前記円柱体の貫通穴（６０１）に組み付けられるとき、２本の電線（６８）は、フランジ（６０２）および底ベース（６６）により強固に止められる。前記装飾用ライトは機械による自動組み立てに適しているが、ソケット（６０）の大きな寸法および複雑な構造が解決すべき新たな問題となっている。
【０００４】
前述した欠点を克服するために、本考案は、前記した問題を緩和あるいは除去する装飾用ライトストリングを提供する。
【考案の開示】
【考案が解決しようとする課題】
【０００５】
本考案の主たる目的は、機械による容易な組立及び製造が可能な装飾用ライトストリングを提供することにある。
【課題を解決するための手段】
【０００６】
装飾用ライトストリングは、電力線に接続された複数の光ユニットを備える。各光ユニットは、ベース、ホルダ、照明素子およびストッパを有する。前記ベースは、該ベース内に前記電力線が伸長することを許すチャンネルを有する。前記ホルダは、前記ベースに形成されている。前記照明素子は、前記ホルダに取り付けられており、前記電力線に電気的に接触すべく前記ホルダおよびベース内を伸長する２本の導電性のピンを有する。前記ストッパは、前記電力線が前記ベースから外れることを防止するために、前記ベースに取り付けられる。
【０００７】
本考案の他の目的、利点および新規な特徴は、添付した図面に関連してなされる以下の詳細な説明から、より明白になるであろう。
【考案を実施するための最良の形態】
【０００８】
図１ないし３および図５ないし６に関して、本考案に係る装飾用ライトストリングは、電力線（１）と、該電力線（１）に接続された複数の光ユニットとで構成されている。電力線（１）は、絶縁被覆（３）によって相互に隔てて覆われた２本の心線（２）により、形成されている。
【０００９】
前記各光ユニットは、ベース（１０）、ホルダ（２０）、照明素子（３０）およびオプションのストッパ（４０）から成る。
【００１０】
ベース（１０）は、立方体、円柱体、六角柱等のような三次元形状を有するように形成することができる。ベース（１０）は、頂面、チャンネル（１１）、スロット（１２）、２本のレール（１３）および上方リブ（１４）を含む。チャンネル（１１）は、ベース（１０）を横方向に貫通して形成されており、該チャンネル内を電力線（１）が通る。チャンネル（１１）は、内方頂面および内底を有する。スロット（１２）は、チャンネル（１１）の前記内底を貫通して形成されかつチャンネル（１１）に連通する。電力線（１）は、スロット（１２）を経てチャンネル（１１）内に押し込むことができ、その結果、チャンネル（１１）内に取り付けることができる。２本のレール（１３）は、スロット（１２）の両側にそれぞれ形成され、上方リブ（１４）に向けて突出する。上方リブ（１４）は、電力線（１）に当接すべくチャンネル（１１）の前記内方頂面に形成されている。
【００１１】
さらに、図４に関連して、ホルダ（２０）が、ベース（１０）の頂部に形成されており、ベース（１０）の前記頂部を貫通して形成された２つの開口（２１）を経てチャンネル（１１）に連通する。ホルダ（２０）には、該ホルダ（２０）に取付けられる照明素子（３０）を正しい位置に案内するための定位面（２２）が形成されている。
【００１２】
照明素子（３０）は、発光ダイオード（LED）で構成することができ、２本の導電性の切頭ピン（３１）を有し、該ピンは２本の心線（２）のそれぞれに電気的に接触すべく、電力線（１）の絶縁被覆（３）を突き通す。照明素子（３０）には、該照明素子（３０）がホルダ（２０）に誤って取り付けられることを防止するために、定位面（２２）に適応する案内面（３２）が形成されている。
【００１３】
ストッパ（４０）は、頂面と、２つの対向縁を有する底面と、下方リブ（４１）と、２つの穴（４２）と、２つのフランジ（４３）と、２つの溝（４４）と、突起（４５）とを有する。下方リブ（４１）は、電力線（１）に当接すべくストッパ（４０）の前記頂面から突出する。２つのフランジ（４３）は、それぞれ前記底面の２つの対向縁に沿って下方へ延びる。突起（４５）は、２つの溝（４４）を形成すべく２つのフランジ（４３）間で前記底面に形成されている。２つの溝（４４）は、電力線（１）がベース（１０）から外れることを防止するために突起（４５）がスロット（１２）内に取り付けられたとき、それぞれベース（１０）の２本のレール（１３）に係合する。照明素子（３０）の２本の導電性のピン（３１）は、さらに２つの穴（４２）にそれぞれ伸びる。
【００１４】
前記した構成要素による単純な構造は、機械による前記光ユニットの自動組立を可能とし、生産効率を改善させる。結果的に、人手による作業を大いに低減することができる。光ユニットが常時点灯する定常モードに加えて、前記複数の光ユニットは、フラッシング（flashing）効果あるいはチェイシング（chasing）効果などの視覚効果を生じるために、異なるモードで稼動することができる。チェイシング（追跡）効果を生じるために、前記複数の光ライトユニットは、順次、点灯し、消灯する。
【００１５】
本考案の多くの特徴および利点が、本考案の構造および機能の詳細と共に、先の説明で記載されたが、記載された事項は単に説明のためである。ここに添付した実用新案登録請求の範囲が表す用語の幅広い一般的な意味によって示される限界内で、本実用新案の原理内での各部品の形、寸法および配置についての変更が細部に亘って可能となるであろう。
【図面の簡単な説明】
【００１６】
【図１】本考案に係る装飾用ライトストリングの斜視図である。
【図２】本考案に係る装飾用ライトストリングの装飾用ライトを分解斜視図である。
【図３】図２の前記装飾用ライトの斜視図である。
【図４】図３の前記装飾用ライトの部分断面図である。
【図５】本考案に係る第２の具体例を示す装飾用ライトストリングの装飾用ライトの分解斜視図である。
【図６】本考案に係る第３の具体例を示す装飾ライトストリングの装飾用ライトの分解斜視図である。
【図７】従来の装飾用ライトの部分断面図である。
【図８】他の従来の装飾用ライトの部分断面図である。
【符号の説明】
【００１７】
１  電力線
２  心線
３  絶縁被覆
１０  ベース
１１  チャンネル
１２  スロット
１３  レール
１４  上方リブ
２０  ホルダ
２１  開口
２２  定位面
３０  照明素子
３１  ピン
３２  案内面
４０  ストッパ
４１  下方リブ
４２  穴
４３  フランジ
４４  溝
４５  突起
【図１】
0003135427.tif 000003
【図２】
0003135427.tif 000004
【図３】
0003135427.tif 000005
【図４】
0003135427.tif 000006
【図５】
0003135427.tif 000007
【図６】
0003135427.tif 000008
【図７】
0003135427.tif 000009
【図８】
0003135427.tif 000010